(57)【要約】【課題】所望の商品についての生産・販売情報を表示し販売達成率等を報知して、店員等が、効率的に商品の販売状況を把握することができるシステムを提供することを目的とする。【解決手段】  複数の商品について、前記商品の生産状況に関する生産情報と、前記商品の販売状況に関する販売情報と、前記生産情報と前記販売情報に基づいて求められる前記商品の販売達成情報とを、使用者が選択した任意の商品毎に報知することができる報知手段を備える。【選択図】図１２
2020197762.tif 000002
【特許請求の範囲】
【請求項１】
複数の商品について、前記商品の生産状況に関する生産情報と、前記商品の販売状況に関する販売情報と、前記生産情報と前記販売情報に基づいて求められる前記商品の販売達成情報とを、前記商品毎に報知する報知手段を備える生産販売情報報知装置。
【請求項２】
複数の商品から任意の商品を選択する選択手段を備え、
前記報知手段は、前記選択手段により選択された商品を一覧で表示する請求項１に記載の生産販売情報報知装置。
【請求項３】
前記選択手段は、複数の商品から任意の時間帯に関連する商品を選択する請求項２に記載の生産販売情報報知装置。
【請求項４】
前記報知手段は、予め定められた消化率に達した回数を、前記商品毎に報知する請求項１から請求項３のいずれか一項に記載の生産販売情報報知装置。
【請求項５】
前記報知手段が報知する商品から任意の商品の一つを選択する特定手段と、
前記特定手段が選択した前記商品についての生産指示を受けつける入力手段と、
前記入力手段が受け付けた生産指示の情報を出力する出力手段を備える請求項１から請求項４のいずれか一項に記載の生産販売情報報知装置。
【請求項６】
請求項１から請求項５の何れか一項に記載の生産販売情報報知装置を備えた生産販売情報報知システム。
【請求項７】
生産販売情報報知を行うプログラムであって、
コンピューターに、
複数の商品について、前記商品の生産状況に関する生産情報と、前記商品の販売状況に関する販売情報と、前記生産情報と前記販売情報に基づいて求められる前記商品の消化率情報とを、前記商品毎に報知する工程と、
複数の商品から任意の商品を選択する工程と、
選択された任意の商品についての生産指示を受け付ける工程と、
受け付けた生産指示の情報を出力する工程と、
を実行させるプログラム。
【発明の詳細な説明】
【技術分野】
【０００１】
本発明は、量販店・スーパーなどで使用するＰＯＳ等と連携して商品の生産販売情報等を報知する生産販売情報報知装置、生産販売情報報知システム及びプログラムに関する。
【背景技術】
【０００２】
スーパーマーケットなど小売業の店舗の惣菜売場等では、客に常に新鮮な商品を提供するために１日に複数回（例えば、開店時（１０時）、１５時、１７時）、バックヤードで調理等をした総菜や鮮魚等の生鮮品を製造、値付けをして、陳列棚への品だしを行っている。
【０００３】
従来、ＰＯＳシステムと連携して当日の商品の生産・販売情報を表示するなど、合理的な生産、見切り処理を行う商品販売データ管理システムが知られている。（特許文献１）
【先行技術文献】
【特許文献】
【０００４】
【特許文献１】特開２００１−１０９９６０号公報
【発明の概要】
【発明が解決しようとする課題】
【０００５】
しかし、商品販売データ管理システムにおいて表示される商品の点数が多く、消化率や在庫状況を効率的に確認することが難しかった。
【０００６】
本発明は、上記の事情を鑑みたものであり、所望の商品についての生産・販売情報を表示し消化率等を報知するなど、店員等が、効率的に商品の販売状況を把握することができるシステムを提供することを目的とする。
【課題を解決するための手段】
【０００７】
本発明の一実施形態は、複数の商品について、前記商品の生産状況に関する生産情報と、前記商品の販売状況に関する販売情報と、前記生産情報と前記販売情報に基づいて求められる前記商品の販売達成情報とを、前記商品毎に報知する報知手段を備える生産販売情報報知装置である。
【発明の効果】
【０００８】
上記実施形態によれば、店員等が、効率的に商品の販売状況を把握することができるので、販売状況等に対応して商品毎に生産、品出しを行うことができ、チャンスロスや廃棄ロスの発生を防止することができる。
【図面の簡単な説明】
【０００９】
【図１】一実施形態の生産販売情報報知装置を含むシステムの全体構成図である。
【図２】一実施形態の生産販売情報報知装置の表示部に表示される値付け操作画面の一例の図である。
【図３】一実施形態の生産販売情報報知装置の表示部に表示される生産販売リスト画面の図である。
【図４】一実施形態の値付け器の表示手段に表示される生産販売データ画面の項目を示す図である。
【図５】一実施形態の値付け器の表示手段に表示される製造作業指示画面の図である。
【図６】一実施形態の値付け器の表示手段に表示される製造作業指示画面の図である。
【図７】一実施形態の生産販売情報報知装置の表示部に表示される生産販売実績モニター画面の図である。
【図８】一実施形態の生産販売情報報知装置の表示部に表示される推移表画面の図である。
【図９】一実施形態の生産販売情報報知装置の表示部に表示される生販表画面の図である。
【図１０】一実施形態の生産販売情報報知装置の表示部に表示される売上順位表画面の図である。
【図１１】一実施形態の生産販売情報報知装置の表示部に表示されるリスト設定画面の図である。
【図１２】一実施形態の生産販売情報報知装置の表示部に表示される売り切れレポート画面の図である。
【図１３】一実施形態の生産販売情報報知装置の表示部に表示される商品登録画面の図である。
【図１４】一実施形態の生産販売情報報知装置の表示部に表示されるアラート設定画面の図である。
【図１５】一実施形態の生産販売情報報知装置の表示部に表示されるアラート設定画面の図である。
【図１６】一実施形態の生産販売情報報知装置の補充アラートのフローチャートの図である。
【図１７】一実施形態の生産販売情報報知装置の指定時刻アラートのフローチャートの図である。
【図１８】一実施形態の生産販売情報報知装置の表示部に表示されるアラート表示画面の一例を示す図である。
【図１９】一実施形態の生産販売情報報知装置の表示部に表示されるアラート表示画面の他の例を示す図である。
【図２０】一実施形態の生産販売情報報知装置の表示部に表示されるアラート表示画面の他の例を示す図である。
【図２１】一実施形態の生産販売情報報知装置の表示部に表示されるアラート表示画面の他の例を示す図である。
【図２２】一実施形態の生産販売情報報知装置の表示部に表示されるアラート表示画面の他の例を示す図である。
【図２３】一実施形態の生産販売情報報知装置の表示部に表示される１７時陳列数アラート画面を示す図である。
【図２４】一実施形態の生産販売情報報知装置の表示部に表示されるアラート設定画面を示す図である。
【図２５】（ａ）は、一実施形態の生産販売情報報知装置の機能ブロック図であり、（ｂ）は、一実施形態の生産販売情報報知装置のブロック図である。
【発明を実施するための形態】
【００１０】
以下、図面を参照し、本発明の一実施形態について説明する。
本実施形態の生産販売情報報知システムは、図１に示すように、顧客が購入する商品の登録精算処理を行うＰＯＳ端末１１及び記憶手段１２等からなるＰＯＳシステム１と、店員等に対して生産販売情報を報知する生産販売情報報知装置２と、店員等が携帯して店舗内の商品の状況を入力する携帯端末３等を備えている。
【００１１】
本実施形態の生産販売情報報知システムにおいては、生産販売情報報知装置２として店舗のバックルーム等に配置されて鮮食料品（鮮魚、精肉）等のパッキングや値付け等を行う１つもしくは複数の値付け器２を用いた例を参考に説明する。
なお、生産販売情報報知装置２は、値付け器に限るものではなく、例えば携帯可能なタブレット端末等の装置でもよく、その形態は限定されない。
【００１２】
ＰＯＳシステム１、値付け器（生産販売情報報知装置）２及び携帯端末３は、無線もしくは有線のネットワークを介して連結されており、値付け器２は、ＰＯＳシステム１、携帯端末３等から商品の販売数量や陳列数量に関する情報を取得して、店舗のバックヤードにおける商品の生産や品出しについての管理を行う。
なお、ＰＯＳシステム１、値付け器２もしくは携帯端末３等は、図示しない上位コンピューター等のサーバーに接続されていてもよい。
【００１３】
ＰＯＳ端末１１は、顧客が購入する商品を登録する登録処理を実行し、登録した商品の情報に基づいて精算処理を実行する。
例えば、店員もしくは顧客が、スキャナや登録用携帯端末等の入力装置を用いて、商品に付されているバーコードを読み取るか、ＰＯＳ端末１１の表示部の商品登録画面に表示されたプリセットボタンを操作すると、ＰＯＳ端末１１は、入力された商品情報に基づいて精算情報を生成し、生成した精算情報に基づいて精算処理を実行する。
なお、ＰＯＳ端末１１において実行される登録処理及び精算処理の方法は、上記の方法に限定されない。
【００１４】
ＰＯＳ端末１１は、生成した精算情報を記憶手段１２に記憶するとともに、必要に応じて、販売した商品についての情報（販売数量）を販売情報として値付け器２に出力する。
精算情報の一例としては、当該精算情報を識別するための精算情報識別情報、販売日時、登録された商品のＪＡＮコード、同商品の商品名、同商品の商品識別情報、同商品の数量（販売数量）、レジ通過売価、購入対象の商品の総額（合計金額）などがある。
【００１５】
値付け器２は、商品の重量を計量する計量器を備え計量した商品に貼付する商品ラベルを発行する計量ラベルプリンタ、さらに発行したラベルを自動的に商品に貼付する自動計量値付け装置、商品を計量して包装し発行したラベルを手又は自動的に商品に貼付する計量包装値付け装置等である。
【００１６】
値付け器２は、商品の値付け処理に用いられた情報（以下、「値付け情報」という。）を記憶手段に記憶するとともに、必要に応じて、値付けした商品についての情報（生産数量）を生産情報として記憶する。
値付け情報の一例としては、識別するための値付け情報識別情報、値付けされた商品の商品識別情報、同商品の商品名、同商品の値付け日時、同商品の販売価格、同商品の値付け数（生産数量）などがある。
【００１７】
値付け器２は、必要に応じて、ＰＯＳ端末１１から販売情報を入力する。
また、値付け器２は、必要に応じて、携帯端末３から商品陳列情報を入力する。
商品陳列情報の一例としては、商品の商品識別情報、実陳列数量などがある。
【００１８】
なお、値付け器２は、一つの店舗に一つの値付け器２が配置されていても良いが、例えば鮮魚部門、精肉部門等の部門毎にそれぞれ配置されていてもよく、また、一つの部門に複数の値付け器２が配置されていてもよい。
【００１９】
携帯端末３は、店員等が携帯して店舗を見回り陳列された商品の状況等を入力することで、該商品についての商品陳列情報を生成して記憶する。
例えば、店員等が、陳列棚に陳列された商品を数えて携帯端末３に入力することで、携帯端末３は、入力された商品の商品識別情報及び実陳列数量などからなる商品陳列情報を生成し記憶する。
携帯端末３は、必要に応じて商品陳列情報を値付け器２等に送信する。
【００２０】
−値付け器（生産販売情報報知装置)−
本実施形態の値付け器２について、さらに詳細に説明する。
本実施形態の値付け器２は、商品マスタの商品情報、値付け器２において店員等によって入力された情報（生産情報等）、ＰＯＳ端末１１もしくは携帯端末３から入力された情報（販売情報、商品陳列情報等）に基づく生産販売情報を表示部２２２に表示して、店員等に対して商品の生産販売情報を提供したり、報知したりする。
【００２１】
ここで、値付け器２が報知（表示）する生産販売情報の一例について説明する。
生産販売情報は、「商品識別情報」、「商品名」、「生産数量（Ａ）」、「販売数量（Ｂ）」等の情報を含んでいる。
【００２２】
「商品識別情報」は、商品固有の識別情報であり、「商品名」は、商品の名称であり、例えば商品マスタ等に記憶されている。
「生産数量（Ａ）」は、当該営業日に生産した商品の個数である。例えば、値付け器２は、当該営業日に値付け器２によって値付けされた商品の個数（生産情報）を「生産数量（Ａ）」として記憶する。
【００２３】
「販売数量（Ｂ）」は、当該営業日に販売した商品の個数である。例えば、ＰＯＳ端末１１は、当該営業日に販売された商品の個数（販売情報）を記憶するとともに値付け器２に出力し、値付け器２は、ＰＯＳ端末１１から入力された販売情報を「販売数量（Ｂ）」として記憶する。
【００２４】
生産販売情報は、「陳列数（Ｃ）」、「予定生産数（Ｄ）」及び「予測販売数（Ｈ）」等の情報を含んでいてもよい。
「陳列数（Ｃ）」は、店舗に陳列されている商品の個数である。例えば、店員は、陳列棚に陳列されている商品の個数を商品陳列情報として携帯端末３に入力する。携帯端末３は、入力された商品陳列情報を値付け器２に出力し、値付け器２は、携帯端末３から入力された商品陳列情報に含まれる商品の実陳列数量を「陳列数（Ｃ）」として記憶する。
【００２５】
予定生産数（Ｄ）は、任意の商品について、任意の営業日当日に生産する予定の商品の個数である。例えば、店員は、過去の販売情報等より当該営業日に必要な生産数を算出して、入力部２２１によって予定生産数（Ｄ）として値付け器２に入力する。
【００２６】
「予測販売数（Ｈ）」は、営業日当日の所定時刻の販売数量（Ｂ）から当該営業日における販売数を予測した数値である。値付け器２は、時刻及び該時刻における販売数量（Ｂ）から当該営業日の予測販売数（Ｈ）を算出して記憶する。
【００２７】
生産販売情報は、所定時間における「陳列数の予定数（Ｅ）」、「陳列数の過不足（Ｆ）」、「追加生産数（時間）（Ｇ）」及び「追加生産数（Ｉ）」等の情報を含んでいてもよい。
【００２８】
「陳列数の予定数（Ｅ）」は、所定時刻において陳列されるべき商品数である。例えば、店員等は過去の販売情報等より所定時間における適正陳列数を算出して、入力部２２１によって陳列数の予定数（Ｅ）として値付け器２に入力する。なお、所定時刻は、店員等が適宜設定できる。値付け器２は、店員等により入力された「陳列数の予定数（Ｅ）」を記憶する。
【００２９】
なお、本実施形態の値付け器２においては、所定時間として、１０時、１５時、１７時が設定されており、それぞれの時間における陳列数の予定数を「陳列数の予定数（Ｅ１）」、「陳列数の予定数（Ｅ２）」、「陳列数の予定数（Ｅ３）」とする。
【００３０】
「陳列数の過不足（Ｆ）」は、所定時刻における実際の陳列数（Ｃ）から、当該所定時間における陳列数の予定数（Ｅ）を減算した数値である。値付け器２は、陳列数（Ｃ）と陳列数の予定数（Ｅ）の情報から陳列数の過不足（Ｆ）を算出し、記憶する。
【００３１】
例えば、店員等は、陳列数の過不足（Ｆ）が０であれば、適正な生産が行われており、陳列数の過不足（Ｆ）が正の値であれば、過剰な生産が行われており、陳列数の過不足（Ｆ）が負の値であれば、十分な生産が行われていないことがわかる。
【００３２】
なお、本実施形態の値付け器２においては、所定時間として、１０時、１５時、１７時が設定されており、それぞれの時間における陳列数の過不足を「陳列数の過不足（Ｆ１）」、「陳列数の過不足（Ｆ２）」、「陳列数の過不足（Ｆ３）」とする。
【００３３】
「追加生産数（時間）（Ｇ）」は、営業日のある時刻の販売状況から予測した追加で生産するべき商品の個数である。値付け器２は、営業日当日の所定時刻での商品の販売数量（Ｂ）から、当該営業日の予測販売数量（Ｈ）を予測し、該予測販売数量（Ｈ）から所定時刻での生産数量（Ａ）を減算して「追加生産数（時間）（Ｇ）」を算出し、記憶する。
【００３４】
「追加生産数（Ｉ）」は、当該営業日に追加して生産するべき商品の個数である。
値付け器２は、予測生産数（Ｄ）から生産数量（Ａ）を減算して「追加生産数（Ｉ）」を算出し、記憶する。
【００３５】
−生産販売情報の報知−
値付け器２は、店員等による値付け時に、図２に示す値付け操作画面４００を表示部に表示する。
値付け操作画面４００は、値付け商品表示欄４０１、ラベル表示欄４０２等の表示欄を備えており、「生産販売リスト」キー４００ａを備えている。
図２に示す例は、商品「黒毛和牛ロースうすぎり」に対する値付け操作中の値付け操作画面４００であり、値付け器２は、ラベル表示欄４０２に商品に貼付するラベルのイメージを表示している。
【００３６】
店員等が各商品に対する値付けを行い、ラベル出力の指示をすることで、値付け器２は、印刷部２２３からラベル表示欄４０２に表示されたラベルを印刷する。
【００３７】
ラベルに印刷されるバーコードは、商品コード、価格、販売期限などの情報が記録されている。さらに、バーコードは、他のシステムに受け渡す情報、例えば産地、重量、原材料、アレルゲン等の付加情報を、製造した機械番号と通し番号等による１枚毎のユニークコードとして記録されていてもよい。店員等は、バーコードに記録された情報により、商品個々を管理することも可能である。
【００３８】
店員等が、値付け作業時に値付け器２の表示部２２２に表示される値付け操作画面４００の「生産販売リスト」キー４００ａを操作すると、値付け器２は、生産販売リスト画面５００を表示する。
なお、生産販売リスト画面５００を表示するための方法は、「生産販売リスト」キー４００ａの操作に限定されない。
値付け器２の表示部２２２に表示される生産販売リスト画面５００の一例を、図３に示す。  
【００３９】
図３に示す生産販売リスト画面５００は、「ソート方法」欄５０１と、「表示項目」欄５０２と、「表示対象」欄５０３と、「製造作業指示」キー５０４ａと、「生産販売リスト表示」欄５１０等を有しており、値付け器２は、「生産販売リスト表示」欄５１０に生産販売情報を表示する。
【００４０】
店員等が、生産販売リスト画面５００の「ソート方法」欄５０１の「ソート方法」キー５０１ａから任意のソート方法を選択することで、値付け器２は、「生産販売リスト表示」欄５１０の生産販売情報を選択されたソート方法に従って並べ替えて一覧表示する。
なお、ソート方法の種類としては、「品番順」、「生産数量順」、「販売数量順」などがある。
【００４１】
店員等が、生産販売リスト画面５００の「表示項目」欄５０２の「表示項目」キー５０２ａから任意の表示項目を選択することで、値付け器２は、「生産販売リスト表示」欄５１０に表示する生産販売情報の項目を選択して一覧表示する。
なお、表示項目の種類としては、「直近陳列数」や「陳列数（全ての時間指定）」などがある。
【００４２】
例えば、店員等が、生産販売リスト画面５００の「表示項目」キー５０２ａから「直近陳列数」を選択することで、値付け器２は、「生産販売リスト表示」欄５１０に直近の生産販売情報を一覧表示する。
また、店員等が、生産販売リスト画面５００の「表示項目」キー５０２ａから「陳列数（全ての時間指定）」を選択することで、値付け器２は、「生産販売リスト表示」欄５１０に全ての時間帯における商品の陳列数の情報を表示する。
【００４３】
図３に示す生産販売リスト画面５００は、表示項目として「直近陳列数」が選択されているので、各商品について直近である１５時の「１５時陳列数  過不足／予定数」の項目を含めて「生産販売リスト表示」欄５１０に一覧表示されている。
【００４４】
店員等が、「表示対象」欄５０３の「表示対象」キー５０３ａから任意の表示対象を選択することで、値付け器２は、店員等によって選択された商品のみを「生産販売リスト表示」欄５１０に一覧表示する。
なお、表示対象の種類としては、「全て」、「陳列数」、「予定生産数」、「生産数予測」などがある。
【００４５】
例えば、店員等が、「表示対象」キー５０３ａから「全て」を表示対象として選択することで、値付け器２は、当該値付け器２によって生産処理がなされた全ての商品の生産販売情報を「生産販売リスト表示」欄５１０に一覧表示する。
【００４６】
また、例えば、店員等が、「表示対象」キー５０３ａから「陳列数」を表示対象として選択することで、値付け器２は、直近の指定時刻（１５時）においての予定陳列数（Ｅ）の設定がなされている商品の生産販売情報を「生産販売リスト表示」欄５１０に一覧表示する。
【００４７】
また、例えば、店員等が、「表示対象」キー５０３ａから、「予定生産数」を表示対象として選択することで、値付け器２は、当該営業日の予定生産数（Ｄ）が設定されている商品の生産販売情報を「生産販売リスト表示」欄５１０に一覧表示する。
【００４８】
なお、「表示対象」欄５０３の「表示対象」キー５０３ａに設定される表示対象は、上記の例に限定されるものではなく、店員等によって表示対象を設定することができることが好ましい。
また、表示対象は複数設定することもでき、複数の表示対象が設定された場合には、値付け器２は、設定された表示対象に関するすべての商品の生産販売情報を「生産販売リスト表示」欄５１０に表示してもよい。
【００４９】
すなわち、図３に示すように、店員等が、「ソート方法」キー５０１ａから「品番順」を選択し、「表示項目」キー５０２ａから「直近陳列数」を選択し、「表示対象」キー５０３ａから「全て」を選択することで、値付け器２は、「生産販売リスト表示」欄５１０に、値付け器２の商品マスタに存在する全ての商品について、直近の情報更新時刻である１５時時点での生産販売情報を商品の品番順に並べて表示する。
【００５０】
具体的には、値付け器２は、「生産販売リスト表示」欄５１０に、例えば図４（ａ）に示す「商品番号」、「品名」、「生産数量（Ａ）」、「販売数量（Ｂ）」、「１５時陳列数：過不足（Ｆ２）」、「１５時陳列数：予定数（Ｅ２）」、「追加生産数（１５時予測）（Ｇ）」、「追加生産数（Ｉ）」、「陳列数（Ｃ）」、「予定生産数（Ｄ）」及び「予測販売数量（Ｈ）」などの生産販売情報を表示する。
なお、表示される生産販売情報のうち「生産販売リスト表示」欄５１０に一覧表示できない項目（「陳列数（Ｃ）」、「予定生産数（Ｄ）」及び「予測販売数（Ｈ）」）が存在する場合には、スクロールによって表示することができる。
【００５１】
なお、「生産販売リスト表示」欄５１０に表示する商品としては、当該値付け器２の商品マスタに存在する商品のみを対象としてもよいが、他の値付け器２や他部門の値付け器２の商品マスタに存在するすべての商品を対象としてもよい。
【００５２】
値付け器２は、「１５時陳列数：予定数」の項目に予め店員等により設定された指定時刻２（１５時）陳列予定数（Ｅ２）を表示し、「１５時陳列数：過不足」の項目に指定時刻２（１５時）陳列予定数（Ｅ２）から１５時時点での陳列数（Ｃ２）（＝生産数量（Ａ２）−販売数量（Ｂ２））を減算した過不足数（Ｆ２）（＝陳列数量（Ｃ２）−陳列予定数（Ｅ２））を表示する。
【００５３】
「１５時陳列数：過不足」の項目の過不足数（Ｆ２）が正（＋）であれば、指定時刻（１５時）の陳列予定数（Ｅ２）よりも１５時時点での実際の陳列数（Ｃ２）が多く、負（−）であれば、１５時時点での陳列予定数（Ｅ２）よりも陳列数（Ｃ２）が少ないことを表す。
【００５４】
例えば、図３，図４（ａ）に示す例では、品名「黒毛和牛ロースうすぎり」の商品について、「１５時陳列数：予定数」の項目に「３０」と表示されており、「１５時陳列数：過不足」の項目にが「−１５」と表示されている。
これは、ユーザーが１５時おける適切な商品の陳列数（指定時刻２陳列予定数：Ｅ２）として「３０」を設定したが、商品棚には「１５（＝６０−４５）」しか陳列されておらず、商品が「１５」不足していることを示している。
【００５５】
また、値付け器２は、「追加生産数（１５時予測）」の項目に、営業日当日の１５時時点での商品の販売状況から、当該営業日一日に生産するべき生産数量を予測して、必要となる追加生産数（１５時予測）（Ｇ）を表示する。
例えば、図４（ａ）に示す例では、品名「黒毛和牛ロースうすぎり」の商品について、１５時時点での販売数量（Ｂ）の「４５」から一日の予測販売数量（Ｈ）（＝６８）を予測し、１５時時点での生産数量（Ａ）を減算することで、追加生産数（１５時予測）（Ｇ）の「＋８」を算出している。
【００５６】
なお、営業日一日に生産するべき生産数予測の方法は、特に限定されるものではなく、過去数日の販売情報、天候情報等から適宜算出すればよい。
【００５７】
さらに、値付け器２は、「追加生産数」の項目に、予定生産数（Ｄ）から生産数量（Ａ）の値を減算した追加生産数（Ｉ）（＝予定生産数（Ｄ）−生産数量（Ａ））を表示する。
【００５８】
以上のように、店員等は、生産販売リスト画面５００の「表示項目」キー５０２ａから「直近陳列数」を選択することにより、商品の全体的な生産販売情報を把握することができ、直近の指定時刻（１５時）における商品の過不足を確認することができ、１５時以降の商品の製造や品出しなどの計画を見直すことができる。
また、店員等は、生産販売リスト画面５００に表示される「追加生産数」の項目を確認することによって、販売計画に基づいた営業日当日の商品の生産、品出し予定数を確認することができる。
【００５９】
一方、店員等が、生産販売リスト画面５００の「表示項目」キー５０２ａから「陳列数（全ての時間指定）」を選択することにより、値付け器２は、「生産販売リスト表示」欄５１０に、例えば図４（ｂ）に示す「商品番号」、「品名」、「１０時陳列数：過不足（Ｆ１）」、「１０時陳列数：予定数（Ｅ１）」、「１５時陳列数：過不足（Ｆ２）」、「１５時陳列数：予定数（Ｅ２）」、「１７時陳列数：過不足（Ｆ３）」、「１７時陳列数：予定数（Ｅ３）」、「生産数量（Ａ）」、「販売数量（Ｂ）」などの生産販売情報を表示する。
【００６０】
なお、図４（ｂ）に示す「生産販売リスト表示」欄５１０に表示される生産販売情報は、１５時時点での生産販売情報が例示されており、「１７時陳列数：過不足（Ｆ３）」について、１５時の時点では確定していないので、過不足（Ｆ３）は表示されていない。
【００６１】
値付け器２は、「１０時陳列数：予定数」の欄に予めユーザーにより設定された指定時刻１（１０時）陳列予定数（Ｅ１）を示し、「１０時陳列数：過不足」の欄に、指定時刻１（１０時）陳列予定数（Ｅ１）から１０時時点での陳列数量（Ｃ１）を除算した過不足（Ｆ１）（＝陳列数量（Ｃ１）−陳列予定数（Ｅ１））を表示する。
【００６２】
値付け器２は、「１５時陳列数：予定数」の欄に予めユーザーにより設定された指定時刻２（１５時）陳列予定数（Ｅ２）を示し、「１５時陳列数：過不足」の欄に、指定時刻２（１５時）陳列予定数（Ｅ２）から１５時時点での陳列数量（Ｃ２）を除算した過不足（Ｆ２）（＝陳列数量（Ｃ２）−陳列予定数（Ｅ２））を表示する。
【００６３】
また、値付け器２は、「１７時陳列数：予定数」に予めユーザーにより設定された指定時刻３（１７時）陳列予定数（Ｅ３）を示し、「１７時陳列数：過不足」に、指定時刻３（１７時）陳列予定数（Ｅ３）から１７時時点での陳列数量（Ｃ３）を除算した過不足（Ｆ３）（＝陳列数量（Ｃ３）−陳列予定数（Ｅ３））を表示する。
【００６４】
以上のように、店員等は、「表示項目」キー５０２ａから「陳列数（全ての時間指定）」を選択して生産販売リスト画面５００を表示することにより、当該営業日の全ての時間帯における商品の生産販売情報を把握することができ、それ以降の商品の生産や品出しなどの計画を見直すことができる。
【００６５】
（生産作業指示機能）
営業日によっては、その日の天候やイベント等の有無によって予定した生産数では商品が明らかに不足するものや、反対に明らかに過剰となる場合が生じる。本実施形態の値付け器２は、そのような場合であっても、店員等の判断によって、商品の追加生産指示の数を修正することができる。
以下に、商品の追加生産数を修正することのできる生産作業指示機能について説明する。
【００６６】
値付け器２は、店員等が生産販売リスト画面５００に表示される「製造作業指示」キー５０４ａを操作することにより、図５に示すように「生産販売リスト表示」欄５１０を、「追加生産数（Ｉ）」の数値欄５１０ａの編集が可能な「生産販売リスト表示」欄５１０に変更する。
値付け器２は、編集が可能な「生産販売リスト表示」欄５１０に変更することにより、「製造作業指示」キー５０４ａを「登録終了」キー５０４ｂに変更している。
【００６７】
店員等は、前記表示された「生産販売リスト表示」欄５１０において、任意の商品の「追加生産数」欄５１０ａに任意の数値を入力することにより、値付け器２は、当該営業日において当該商品のその後生産する追加生産数の設定を変更する。
【００６８】
例えば、「１５時陳列数：過不足」が「−１５」を示している「黒毛和牛ロースうすぎり」及び「黒毛和牛ももしゃぶしゃぶ用」の商品について、店員等が「追加生産数」欄５１０ａの数値を変更して「登録終了」キー５０４ｂを操作することにより、値付け器２は、図６に示すように、追加生産数の変更指示を確認させるための製造作業指示確認画面５２０をポップアップ表示する。
【００６９】
製造作業指示確認画面５２０は、追加生産数の変更指示を保存する旨の表示５２０ａを行うとともに、該保存を実行する「保存する」キー５２０ｂと、該保存を破棄する「保存しない」キー５２０ｃと、変更指示の保存を中止する「中止」キー５２０ｄ等を備えている。
店員等が製造作業指示確認画面５２０の「保存する」キー５２０ｂを操作することで、値付け器２は、変更した追加生産数を製造作業指示予約ファイルに追加登録する。
【００７０】
製造作業指示予約ファイルとは、製造指示を行うための追加生産数を記録するファイルであり、商品の予定生産数（Ｄ）と生産数量（Ａ）等のデータをもとに追加生産数（Ｉ）が記録されている。
店員等は、生産販売リスト画面５００を確認して当日の販売実績が販売予測と大きく異なる商品や予定生産数（Ｄ）が設定されていない商品を把握した場合には、該商品の追加生産数を変更して適切な追加生産数の指示が行うことができる。
【００７１】
以上のように、本実施形態の値付け器２においては、値付け器２が取得した情報（生産数量）とＰＯＳ端末１１から取得した販売実績データ（販売数量）を利用して、表示部２２２に商品の種々の生産販売情報が表示されるので、バックルームにおける商品の生産、および陳列棚への品出し作業の効率化を図ることができる。
【００７２】
本実施形態の値付け器２の生産販売情報を表示する他の画面例（生産販売実績モニター画面５５０）を、図７を参考に以下に説明する。
なお、生産販売実績モニター画面５５０を表示するための方法は、特に限定されない。
【００７３】
生産販売実績モニター画面５５０は、対象時刻表示欄５５１と生産販売実績表示欄５５２等を有している。
値付け器２は、生産販売実績モニター画面５５０の対象時刻表示欄５５１に現在時刻５５１ａと、複数の対象時刻帯キーを表示している。
店舗に陳列する商品は多種多様であって、例えば午前中の早い時間に商品の販売状況を確認したい商品や、夕方に商品の販売状況を確認したい商品など様々存在する。
対象時刻帯キーは、所定の時刻において販売状況を確認したい商品を生産販売実績表示欄５５２に表示するためのキーである。
【００７４】
図７に示す生産販売実績モニター画面５５０は、対象時間帯キーとして、「９：００」キー５５１ｂと、「１２：００」キー５５１ｃと、「１４：００」キー５５１ｄと、「１８：００」キー５５１ｅと、「２０：００」キー５５１ｆを有しており、例えば、店員等が「２０：００」キー５５１ｆを操作すると、値付け器２は、当該営業日の２０：００に販売状況を確認したい商品の生産販売情報を生産販売実績表示欄５５２に表示する。
【００７５】
そして、値付け器２は、店員等によって操作された「２０：００」キー５５１ｆの表示形態（色等）を他の対象時間帯キーとは異なる表示形態とする。店員等は、表示形態を確認することで現在生産販売実績表示欄５５２に表示している商品が２０：００に販売状況を確認したい商品であることがわかる。
【００７６】
なお、２０：００に販売状況を確認したい商品など所定の時刻において販売状況を確認したい商品は、店員等の操作によって設定することができる。
【００７７】
値付け器２は、生産販売実績表示欄５５２に、「商品名」欄５５２ａと、「生産状況表示」欄５５２ｂと、「生産数」欄５５２ｃと、「販売数」欄５５２ｄを表示している。
【００７８】
値付け器２は、「商品名」欄５５２ａに対象商品名を表示し、「生産状況表示」欄５５２ｂに、該商品を最後に生産した時間及び該商品の当該営業日の生産回数を表示し、「生産数」欄５５２ｃに、該商品の当該営業日の総生産数を表示し、「販売数」欄５５２ｄに、該商品の当該営業日の総販売数を表示する。
【００７９】
そして、値付け器２は、生産販売実績表示欄５５２に表示される商品について、各商品の生産情報（生産数等）と、販売情報（販売数等）とに基づいて各商品の消化率を算出し、消化率に応じて「商品名」欄５５２ａの表示形態を異ならせている。
【００８０】
例えば、「販売数」欄５５２ｄに表示される消化率（＝（販売数／生産数）×１００）が１００％のときには、「商品名」欄５５２ａの背景色を青色で表示して、消化率が６１％以上９９％以下であるときには、「商品名」欄５５２ａを水色の背景色で表示して、消化率が４０％以上６０％以下であるときには、「商品名」欄５５２ａの背景色を黄色で表示して、消化率が１％以上３９％以下であるときには、「商品名」欄５５２ａの背景色をピンク色で表示して、消化率が０％であるときには、「商品名」欄５５２ａの背景色を赤色で表示する。
【００８１】
図７に示す表示例において、値付け器２は、消化率が１００％（「販売数」欄５５２ｄに表示される総販売数が、「生産数」欄５５２ｃに表示される総生産数と同じ）である１０の商品について、「商品名」欄５５２ａの背景色を青色で表示し、消化率が０％（「生産数」欄５５２ｃが１以上であるにもかかわらず「販売数」欄５５２ｄが０である）ひとつの商品（ザーサイ）について、「商品名」欄５５２ａの背景色を赤色で表示する。
【００８２】
なお、店員等が生産販売実績表示欄５５２に表示された商品の中から特定の商品の欄を操作（タッチ等）することにより、値付け器２は、特定された商品の生産数量を入力して生産数を指示するための製造作業指示確認画面５２０等を表示してもよい。
【００８３】
このように、値付け器２は、店員等の操作に基づいて、多数の商品のなかから各時間において確認したい商品についての情報を表示するので、店員等は、効率的に商品の精算販売情報を確認することができる。
【００８４】
また、値付け器２は、販売状況に応じて生産販売実績の表示の形態を異ならせて商品の販売状態を報知しているので、店員等は、販売状況が良くない商品に注目することができ、該商品に対する生産指示を忘れることなく行うことができる。
【００８５】
さらに、店員等が該商品の欄をタッチすることで簡単に該商品の生産指示を行う画面に移行することができるので、店員等は該商品に対して直接的に生産指示を行うことができ、生産支持の効率を向上させることができる。
【００８６】
本実施形態の値付け器２の生産販売情報（販売実績の推移）を表示する他の画面例（推移表画面５６０、生販表画面５７０）を、図８（推移表画面）、図９（生販表画面）を参考に以下に説明する。
なお、推移表画面５６０及び生販表画面５７０を表示するための方法は、特に限定されない。
【００８７】
推移表画面５６０は、図８に示すように、「順位表」キー５６０ａと、「生販表」キー５６０ｂ等を有しており、対象商品表示欄５６１と推移表示欄５６２等を有している。
値付け器２は、推移表画面５６０の対象商品表示欄５６１に対象商品の製品番号、商品名欄５６１ａと、対象日欄５６１ｂを表示している。
例えば、図８に示す推移表画面５６０は、対象商品として、製品番号「００００４１」の「明太カツ弁当」が選択され、２０１９年7月２０日から２０１９年８月１９日までの販売実績の推移を表示している。
【００８８】
値付け器２は、推移表示欄５６２に、「日付」欄５６２ａ、「合計」欄５６２ｂ、「〜８時」欄５６２ｃ、「９時」欄５６２ｄ、「１０時」欄５６２ｅ、「１１時」欄５６２ｆ、「１２時」欄５６２ｇ、「１３時」欄５６２ｈ、「１４時」欄５６２ｉ、「１５時」欄５６２ｊ、・・、「２０時」欄５６２ｏ、「２１時」欄５６２ｐを表示している。
なお、図８においては、「１６時」欄５６２ｋないし「２１時」欄５６２ｐは表示されていないが、画面下方位置にあるスクロールバー５６０ｃによって表示することができる。
【００８９】
一方、生販表画面５７０は、図９に示すように、「順位表」キー５７０ａと、「推移表」キー５７０ｂ等を有しており、対象商品表示欄５７１と生販表示欄５７２等を有している。
値付け器２は、生販表５７０の対象商品表示欄５７１に対象商品の製品番号、商品名欄５７１ａと、対象日欄５７１ｂを表示している。
【００９０】
なお、店員等が、推移表画面５６０において「生販表」キー５６０ｂを操作することで、値付け器２は、表示部に生販表画面５７０を表示し、生販表画面５７０において「推移表」キー５７０ｂを操作することで、値付け器２は、表示部に推移表画面５６０を表示する。
また、店員等が、推移表画面５６０もしくは生販表画面５７０において「順位表」キー５６０ａ，５７０ａを操作することで、値付け器２は、表示部に後述する売上順位表示画面５８０を表示する。
【００９１】
値付け器２は、生販表示欄５７２に、「日付」欄５７２ａ、「合計」欄５７２ｂ、「〜８時」欄５７２ｃ、「９時」欄５７２ｄ、「１０時」欄５７２ｅ、「１１時」欄５７２ｆ、「１２時」欄５７２ｇ、「１３時」欄５７２ｈ、「１４時」欄５７２ｉ、「１５時」欄５７２ｊ、・・、「２０時」欄５７２ｏ、「２１時」欄５７２ｐを表示する。
なお、図９に示す生販表画面５７０においては、「１６時」欄５７２ｋないし「２１時」欄５７２ｑは表示されていないが、画面下方位置にあるスクロールバー５７０ｃを操作することによって表示することができる。
【００９２】
値付け器２は、図９に示す生販表画面５７０に、例えば、２０１９年８月１９日の明太カツ弁当について、生産情報として、９時と１５時にそれぞれ１２個の生産が行われたことを表示し、販売情報として、９時に２個、１０時に４個、１１時に２個、１２時に２個、１３時に２個、１４時に０個、１５時に１個の販売が行われたことを表示している。
【００９３】
また、値付け器２は、生産情報及び販売情報に基づいて、図８に示す推移表画面５６０の推移表示欄５６２に、例えば、２０１９年８月１９日の明太カツ弁当について、９時の消化率（販売数／生産数）が１６％（図９における９時の生産数：２／図９における９時の販売数：１２）であることを表示し、１０時の消化率が５０％（同６（２+４）／同１２）であることを表示し、１１時の消化率が６６％（同８（２+４+２）／同１２）であることを表示し、１２時の消化率が８３％（同１０（２+４+２+２）／同１２）であることを示し、１３時、１４時の消化率が１００％（同１２（２+４+２+２+２）／同１２）であることを示し、１５時の消化率が５４％（同１３（２+４+２+２+２+１）／同２４（１２+１２））であることを表示している。
【００９４】
そして、値付け器２は、推移表画面５６０の推移表示欄５６２に表示される消化率に基づいて推移表示欄５６２の表示形態を異ならせている。
【００９５】
例えば、値付け器２は、推移表示欄５６２の各「〜８時」欄５６２ｃ〜「２１時」欄５６２ｐについて、消化率が１００％の「時刻」欄５６２を青色の背景色で表示して、消化率が６１％以上９９％以下の「時刻」欄５６２を水色の背景色で表示して、消化率が４０％以上６０％以下の「時刻」欄５６２を黄色の背景色で表示して、消化率が１％以上３９％以下の「時刻」欄５６２をピンク色の背景色で表示して、消化率が０％の「時刻」欄５６２を赤色の背景色で表示する。
【００９６】
図８で示す例では、値付け器２は、8月１９日の明太カツ弁当の推移表画面５６０において、「９時」欄５６２ｄはピンク色の背景色で表示して、「１０時」欄５６２ｅは黄色の背景色で表示して、「１１時」欄５６２ｆ、「１２時」欄５６２ｇは水色の背景色で表示して、「１３時」欄５６２ｈ、「１４時」欄５６２ｉは青色の背景色で表示して、「１５時」欄５６２ｊは黄色の背景色で表示する。
【００９７】
このように、値付け器２は、推移表画面５６０において、生産情報及び販売情報に基づく消化率に応じて表示形態を異ならせることで、店員等に各商品の販売状態を報知している。例えば、店員等は、推移表画面５６０から、過去の販売において消化率のよい時間帯は商品が不足している可能性があることを認識することができ、不足が生じないように生産時間等を調整することができる。
【００９８】
本実施形態の値付け器２の生産販売状況を表示する他の画面例（売上順位表示画面５８０）を、図１０、図１１を参考に以下に説明する。
なお、売上順位表示画面５８０を表示するための方法は、特に限定されない。
【００９９】
売上順位表示画面５８０は、「メニュー」キー５８０ａと、「推移表」キー５８０ｂと、「モニター」キー５８０ｃ等を有しており、日付欄５８１と、売上順位表示欄５８２等を有している。
値付け器２は、店員等が売上順位表示画面５８０において「推移表」キー５８０ｂを操作することで、表示部に推移表画面５６０を表示し、「メニュー」キー５８０ａを操作することで、図示しないメニュー画面を表示する。
【０１００】
値付け器２は、売上順位表示画面５８０の売上順位表示欄５８２に「売上順位」欄５８２ａと、「製品番号」５８２ｂと、「商品名称」欄５８２ｃと、「生産点数」欄５８２ｄと、「販売点数」欄５８２ｅと、「売上金額」欄５８２ｆと、「消化率」欄５８２ｇと、「廃棄率」欄５８２ｈと、「ロス合計」欄５８２ｉ等を表示する。
【０１０１】
値付け器２は、売上順位表示画面５８０に、さらに売上金額、目標売上金額（予算）、達成率（＝（売上金額／目標売上金額）×１００）を商品ごとに表示してもよく、店舗全体の合計売上金額、合計目標売上金額、合計達成率を表示してもよい。
これにより、店員（売り場管理者）等は、商品ごとの達成率や合計の達成率から、当該営業日について、あとどの程度の売り上げが必要であるのかを把握することができ、どの商品をどの程度販売すればよい等の見積りを立てることができるようになる。
【０１０２】
つまり、店員等は、店舗合計の売上金額が目標金額を達成すれば、いずれの商品でこれを達成しても良く、売上の悪い商品に代えて当該営業日に売り上げの好調な商品を増産し、未達成商品の穴を埋める処置をとることができ、単に各商品の販売点数等を表示しているだけでは把握することのできない状況を把握することができ、効率的な見積もりを実現できる。
【０１０３】
なお、値付け器２０は、売上順位表示画面５８０に、点数情報と金額情報とが同一画面に同時に表示してもよく、点数情報をメインとし点数画面と金額情報をメインとした金額画面を切り替えるように表示しても良い。
その他、値付け器２は、売上順位表示欄５８２に「値引率」欄等を表示しても良い。
【０１０４】
値付け器２は、売上順位表示画面５８０の売上順位表示欄５８２に各商品について、日付欄５８１において設定された日付（２０１９年７月２０日〜２０１９年８月１９日）において売上金額が高い順番に表示する。
なお、売上順位表欄において、販売点数が生産点数を超える商品が存在するが、これは他店や外部で生産した商品を当該店舗で販売した場合などが該当し、よって、当該店舗で生産した数量以上の販売数量が計上されることとなる。
【０１０５】
店員等が、売上順位表示画面５８０に表示される「モニター」キー５８０ｃを操作することで、値付け器２は、図１１に示すリスト設定画面５８５を表示する。
そして、店員等が、リスト設定画面５８５を操作することで、値付け器２は、生産販売実績モニター画面５５０に表示される複数の商品を設定する。
【０１０６】
リスト設定画面５８５は、左側に売上順位表示欄５８５ａを表示し、右側に選択商品表示欄５８５ｂを表示するとともに、対象時間帯キー５８５ｃ及び「リスト追加」キー５８５ｄを有している。
【０１０７】
店員等が対象時間帯キー５８５ｂのうちいずれかのキーが選択されている状態（図１１においては、「０９：００」キーが選択されている状態）で、売上順位表示欄５８５ａの内の所望の商品を選択し、「リスト追加」キー５８５ｄを操作することによって、値付け器２は、該所望の商品を９：００に販売状況を確認したい商品として設定する。
【０１０８】
なお、値付け器２は、売上順位表示欄５８５ａに表示された各商品を、対象時間帯キー５８５ｃにおいて選択された時間帯における売上順に並べて表示してもよい。
【０１０９】
また、値付け器２は、売上順位表示欄５８５ａに各商品がどの時間帯でどの程度追加生産されたかを示す追加済み時間帯の領域５８５ｅを表示してもよく、店員等は各商品の売り上げ順位の情報だけでなく追加生産がされた時間帯等の情報を把握することができ、各時間帯に確認するべき商品を効率的に設定することができる。
【０１１０】
また、値付け器２は、選択商品表示欄５８５ｂにあらかじめ売上順位の高い商品が設定されていてもよく、対象時間帯キー５８５ｃにおいて選択された時間帯における売上順位の高い商品が設定されていてもよい。
【０１１１】
このように、店員等は、売上順位表示欄５８５ａを確認しながら生産販売実績モニター画面５５０に表示する商品を選択することができるので、比較的売上高の高い商品など注目商品をもれなく生産販売実績モニター画面５５０に表示される商品として設定することができる。
【０１１２】
本実施形態の値付け器２の生産販売状況（売り切れ状況）を表示する他の画面例（売り切れレポート画面５９０）を、図１２を参考に以下に説明する。
なお、売り切れレポート画面５９０を表示するための方法は、特に限定されない。
【０１１３】
売り切れレポート画面５９０は、「メニュー」キー５９０ａと、「推移表」キー５９０ｂと、日付欄５９１と、消化率設定欄５９２と、売り切れレポート欄５９３等を有している。
【０１１４】
値付け器２は、売り切れレポート欄５９３に、「製品番号」欄５９３ａ、「商品名」欄５９３ｂ、「生産点数」欄５９３ｃ、「販売点数」欄５９３ｄ、「廃棄数」欄５９３ｅ、「９時」欄５９３ｆ、「１０時」欄５９３ｇ、「１１時」欄５９３ｈ、「１２時」欄５９３ｉ・・、「２０時」欄５９１ｐ、「２１時」欄５９１ｑを表示する。
なお、図１２に示す売り切れレポート画面５９０においては、「１３時」欄５９３ｊないし「２１時」欄５９３ｑは表示されていないが、画面下方位置にあるスクロールバー５９０ｃを操作することによって表示することができる。
【０１１５】
値付け器２は、売り切れレポート画面５９０の売り切れレポート欄５９３に、各商品について、日付欄５９１に設定された日付（２０１９年７月２０日〜２０１９年８月１９日）の間に消化率設定欄５９２に設定された消化率に達成した回数を表示する。
【０１１６】
例えば、図１２に示す売り切れレポート画面５９０は、商品名「春巻き」について、２０１９年７月２０日〜２０１９年８月１９日の間に、消化率が１００％となった回数が、１０時では２回、１１時では８回、１２時では１０回あったことを表示している。
なお、店員等は、売り切れレポート画面５９０の日付欄５９１及び消化率設定欄５９２の設定を変更することができることは、いうまでもない。
例えば、店員等が消化率設定欄５９２を「５０％〜１００％」と設定することで、値付け器２０は、消化率が５０％以上となった回数を表示する。
【０１１７】
−アラート機能−
本実施形態の値付け器２は、商品の生産販売状況に応じて各商品の生産、品出し等を促すアラート機能を備えており、バックルーム作業のさらなる効率化を図ることができる。
本実施形態の値付け器２は、商品補充アラート機能と、指定時刻アラート機能と、生産予測機能の三種類のアラート機能を備えている。
以下に、本実施形態の値付け器２のアラート機能について、説明する。
【０１１８】
値付け器２は、店員等による各商品の設定登録時に、図１３に示す商品登録画面６００を表示する。
商品登録画面６００は、登録商品表示欄６０１等の表示欄を備えており、「生産販売アラート」キー６００ａを備えている。
図１３に示す例は、商品「黒毛和牛ロースうすぎり」に対する設定登録作業中の商品登録画面６００である。
【０１１９】
店員等が、設定登録作業時に値付け器２の表示部２２２に表示される商品登録画面６００の「生産販売アラート」キー６００ａを操作すると、値付け器２は、生産販売アラート設定画面７００を表示する。
なお、生産販売アラート設定画面７００を表示するための方法は、「生産販売アラート」キー６００ａの操作に限定されない。
生産販売アラート設定画面７００の一例を図１４，図１５に示す。
【０１２０】
店員等が値付け器２の表示部２２２に表示された生産販売アラート設定画面７００において商品に対してアラートを設定することで、値付け器２は、該商品に対して店員等によって設定されたアラート機能を設定する。
なお、店員等は、一つの商品に対して複数のアラート機能を設定することもできる。
【０１２１】
本実施形態の値付け器２の生産販売アラート設定画面７００は、「商品補充アラート設定」欄７１０と、「指定時刻アラート設定」欄７２０と、「生産予測設定」欄７３０を備えている。
図１４に示す生産販売アラート設定画面７００は、三種類全てのアラート機能の設定欄に設定がなされておらず、全てのアラート機能は無効の状態となっている。
一方、図１５に示す生産販売アラート設定画面７００は、三種類全てのアラート機能の設定欄にアラートの設定がされており、全てのアラート機能が有効の状態となっている。
【０１２２】
（商品補充アラート）
商品補充アラート機能について説明する。
商品補充アラート機能は、ある商品の販売数量が所定の閾値を超える度に、商品を補充する必要がある旨の報知をする機能である。
【０１２３】
店員等が、図１５に示すように「商品補充アラート設定」欄７１０の「商品補充アラート数」欄７１０ａに任意の数値を入力することで、値付け器２は、商品補充アラートの基準となる商品補充アラート数（Ｊ）を設定して商品補充アラート機能を有効にする。
また、店員等が、「商品補充アラート設定」欄７１０の「予定生産数」欄７１０ｂに任意の数値を入力することで、値付け器２は、該当商品の一日の予定生産数（Ｄ）を設定する。
【０１２４】
そして、値付け器２は、例えば、ＰＯＳ端末１１から商品の販売数量に関する販売情報を取得するたびに、商品補充アラート機能が有効である商品について、生産数量（Ａ）と、取得した販売数量（Ｂ）に関する情報と、設定された商品補充アラート数（Ｊ）とに基づいて、商品補充アラートを報知するか否かを決定する。
以下、商品補充アラート機能について、図１６に示すフローチャートの一例を参考にさらに説明する。
【０１２５】
値付け器２は、所定時間毎に、ＰＯＳ端末１１から販売数量（Ｂ）のデータを取得したか否かを判断する（S101）。
値付け器２は、販売数量（Ｂ）のデータを取得していないと判断した場合には、処理を終了して、次の所定時間が来るのを待つ。
【０１２６】
一方、値付け器２は、ステップS101において、販売数量（Ｂｎ）のデータを取得したと判断した場合には、取得した時点での販売数量（Ｂｎ）から前回商品補充アラートが報知された時に取得した販売数量（Ｂｍ）を引算して、前回の商品補充アラート以降の販売数量（Ｂｋ＝Ｂｎ−Ｂｍ）を算出する(S102)。
なお、あわせて値付け器２は、現時点での生産数量（Ａｎ）を取得する。
【０１２７】
次に、値付け器２は、前回の商品補充アラート以降の販売数量（Ｂｋ）と、店員等によって設定された商品補充アラート数（Ｊ）とを比較して、前回の商品補充アラート以降の販売数量（Ｂｋ）が商品補充アラート数（Ｊ）以上であるか否かを判断する（S103）。
【０１２８】
値付け器２は、前回の商品補充アラート以降の販売数量（Ｂｋ）が商品補充アラート数（Ｊ）未満である商品については、商品補充アラートを報知することなく処理を終了する。
一方、値付け器２は、前回の商品補充アラート以降の販売数量（Ｂｋ）が商品補充アラート数（Ｊ）以上である商品については、商品補充アラートを報知するモードに移行する。
【０１２９】
商品補充アラートを報知するモードにおいて、値付け器２は、店員等によって「商品補充アラート設定」欄６１０の「予定生産数」欄６１０ｂに該当商品の一日の予定生産数（Ｄ）が設定されているか否かを判断する（S104）。
【０１３０】
値付け器２は、S104において、予定生産数（Ｄ）が設定されていると判断した場合には、補充アラート１を報知して（S105）、処理を終了する。
【０１３１】
ここで、補充アラート１の一例を、図１８を参考に説明する。
本例の補充アラート１は、店員等に対して商品の追加生産を促すポップアップ表示８０１を表示することによって行われる。
ポップアップ表示８１０は、「以下の商品が少なくなりました。あと２０パック追加生産を行ってください。」等の追加生産数を含めた追加生産を指示するコメント部８１０ａと、「生産指示」キー８１０ｂと、累計販売数量や最終販売時刻等の商品の販売実績状況を表示する販売状況表示部８１０ｃと、「リスト」キー８１０ｄと、「確認」キー８１０ｅと、「品番呼出」キー８１０ｆなどを有している。
【０１３２】
店員等が「生産指示部」キー８１０ｂを操作することにより、値付け器２は、補充アラート１を報知した商品についての品番と追加生産個数等の内容を記録したバーコード等が印刷されたラベルを発行する。
店員等は、発行されたラベルに印刷されたバーコード等を他の値付け器等のスキャナ等の入力手段により読み込ませることにより、補充が必要な商品と追加生産個数等の情報を他の装置に出力することができる。
【０１３３】
なお、他の装置への商品販売情報の出力は、バーコードが印刷されたラベルの発行に限定されるものではなく、他の装置による入力が可能な媒体への出力によって行うことができる。
すなわち、本実施形態の値付け器２は、他の値付け器等に生産販売情報を引き継がせるために、生産販売情報を出力する何らかの出力手段を備えていればよい。
【０１３４】
店員等が「リスト」キー８１０ｄを操作することにより、値付け器２は、表示部２２２に、図３に示す生産販売リスト画面５００を表示する。なお、生産販売リスト画面５００には、補充アラート１によりアラートされた商品の情報が表示されることが好ましい。
これによって、店員等は、補充アラート１が報知された商品の詳細な生産情報を確認することができる。
【０１３５】
店員等が「確認」キー８１０ｅを操作することにより、値付け器２は、ポップアップ表示８１０を終了して、補充アラート１が報知される直前の状態に戻る。図１８に示す本実施形態の場合には、ポップアップ表示８１０の後方に表示されている商品番号０００２０１、商品名「国産豚切り落とし」の値付け操作画面４００を表示する。
【０１３６】
店員等が「品番呼出」キー８１０ｆを操作することにより、値付け器２は、ポップアップ表示８１０を終了するとともに、補充アラート１が報知された商品についての値付け操作画面４００に移行する。図１８に示す本実施形態の場合には、商品番号０００１０１、商品名「黒毛和牛ロースうすぎり」の値付け操作画面４００が表示される。
これによって、店員等は、補充アラート１が報知された商品について、詳細な情報を簡単に確認することができる。
以上、図１８に示す補充アラート１の一例についての説明を行った。
【０１３７】
フローチャートに戻って、S104において、店員等により予定生産数（Ｄ）が設定されていないと確認された商品に対しては、値付け器２は、現時点での商品の陳列数（Ｃｎ＝Ａｎ−Ｂｎ）が商品補充アラート数（Ｊ）未満であるか否かを判断する（S106）。
【０１３８】
値付け器２は、商品の陳列数（Ｃｎ）が商品補充アラート数（Ｊ）未満であると判断した場合は、その商品は、商品が十分に陳列されていないので、店員等に対して、商品の追加生産を促す補充アラート２を報知して（S107）、処理を終了する。
【０１３９】
一方、値付け器２は、商品の陳列数（Ｃｎ）が商品補充アラート数（Ｊ）以上であると判断した場合は、その商品は売れたもののまだ十分な商品が陳列されているので、商品が一定数量販売されたことを報知する補充アラート３を報知して（S108）、処理を終了する。
【０１４０】
補充アラート２及び補充アラート３の一例を、図１９、図２０に示す。
図１９に示す補充アラート２は、店員等に対して商品の補充を促すポップアップ表示８２０を表示することによって行われる。
ポップアップ表示８２０は、「以下の商品が少なくなりました。追加生産を行ってください。」等の追加生産を指示するコメント部８２０ａと、「生産指示」キー８２０ｂと、販売状況表示部８２０ｃと、「リスト」キー８２０ｄと、「確認」キー８２０ｅと、「品番呼出」キー８２０ｆなどを有している。
【０１４１】
図２０に示す補充アラート３は、店員等に対して商品の販売数量を示すポップアップ表示８３０を表示することによって行われる。
ポップアップ表示８３０は、「以下の商品が販売されました。」等のメッセージを表示するコメント部８３０ａと、販売状況表示部８３０ｃと、「リスト」キー８３０ｄと、「確認」キー８３０ｅと、「品番呼出」キー８３０ｆなどを有している。
図１９，図２０に示すポップアップ表示の各キー等の機能については、図１８に示すポップアップ表示８１０と同様であるので、説明は省略する。
【０１４２】
なお、上記補充アラート１ないし補充アラート３は、上記ポップアップ表示に限定されるものではない。例えば、図２１に示すように、ポップアップ表示８２０に「前へ」キー８２０ｇ及び「次へ」キー８２０ｈを配置して、ポップアップ表示８２０を商品毎に移動可能にしてもよい。
店員等がポップアップ表示８２０の「前へ」キー８２０ｇ及び「次へ」キー８２０ｈを操作することで、値付け器２は、補充アラートに表示される商品を切り替える。
【０１４３】
また、図２２に示すように、値付け器２は、ポップアップ表示８２０の販売状況表示部８２０ｃにスライドバー８２０ｉを配置するなどしてもよく、店員等は、補充アラートの対象となった商品の情報を連続的にスクロール表示することができる。
また、値付け器２は、図１８，図１９に示すような追加生産の指示を行うポップアップ表示について、表示の背景の色等を異ならせるなどしてもよく、店員等に対して注意喚起を行っても良い。
【０１４４】
値付け器２は、上記ポップアップ表示８１０ないしポップアップ表示８３０は、店員等により値付け作業等をしている場合には表示することなく、所定時間（例えば１０秒）画面操作がされない場合に表示するようにしてもよい。これにより、店員等の作業中の操作が優先される。値付け器２は、作業が終了した時点で表示を行うことが好ましい。
【０１４５】
また、ポップアップ表示が店員等に確認されることなく、次の商品補充アラートの報知条件が満たされた場合には、値付け器２は、前の商品補充アラートについては一旦リセットしてポップアップ表示を消去し、次の商品補充アラートを報知するようにしてもよい。このとき、値付け器２は、次の商品補充アラートのポップアップ表示に前の商品補充アラートの内容を含めて報知してもよい。
【０１４６】
（指定時刻アラート）
指定時刻アラート機能について説明する。
指定時刻アラート機能は、店員等が指定した任意の指定時刻に、商品毎にあらかじめ設定した予定陳列数に対する過不足を報知する機能である。
【０１４７】
店員等が、図１５に示す「指定時刻アラート設定」欄７２０の「指定時刻１陳列数」欄７２０ａないし「指定時刻３陳列数」欄７２０ｃに任意の数値を入力することで、値付け器２は、指定時刻１ないし指定時刻３に陳列しておくべき指定時刻１陳列予定数（Ｅ１）ないし指定時刻３陳列予定数（Ｅ３）を設定する。
なお、「指定時刻１陳列数」欄７２０ａないし「指定時刻３陳列数」欄７２０ｃの一部の欄に数値を入力することもでき、すべての指定時刻陳列予定数が設定されていなくてもよい。
【０１４８】
そして、値付け器２は、時刻が指定時刻１ないし指定時刻３のいずれかの時刻を超えた時点で、指定時刻陳列予定数（Ｅ）が設定されている商品について、超えた指定時刻ｎについての指定時刻ｎ陳列予定数（Ｅｎ）と、指定時刻ｎにおける商品の過不足数（Ｆｎ）（＝陳列数（Ｃｎ）−陳列予定数（Ｅｎ））を含む生産販売リスト画面（陳列数アラート画面）５４０を自動表示する。
以下、指定時刻アラート機能について、図１７に示すフローチャートの一例を参考に説明する。
【０１４９】
値付け器２は、現在の時刻（Ｔ）が指定時刻３（ｔ３）を超えたか否かを判断する（S201）。時刻（Ｔ）が指定時刻３（ｔ３）を超えていないと判断した場合は、値付け器２は、時刻（Ｔ）が指定時刻２（ｔ２）を超えたか否か判断する（S202）。時刻（Ｔ）が指定時刻２（ｔ２）を超えていないと判断した場合は、値付け器２は、時刻（Ｔ）が指定時刻１（ｔ１）を超えたか否か判断する（S203）。
【０１５０】
値付け器２は、ステップS203で、時刻（Ｔ）が指定時刻１（ｔ１）を超えていないと判断した場合には、処理を終了する。
一方、値付け器２は、ステップS203で、時刻（Ｔ）が指定時刻１（ｔ１）を超えたと判断した場合には、指定時刻１陳列予定数（Ｅ１）が設定されているか否かを判断する（S204）。
【０１５１】
値付け器２は、ステップS204で、指定時刻１陳列予定数（Ｅ１）が設定されていないと判断した場合には、処理を終了し、指定時刻１陳列予定数（Ｅ１）が設定されていると判断した場合には、時刻１フラグ（ｆ１）に「１」が代入されているか否かを判断する（S205）。
なお、時刻ｎフラグ（ｆｎ）とは、指定時刻ｎにおける指定時刻アラートが既になされたか否かを示すフラグであって、時刻ｎフラグ（ｆｎ）に「１」が代入されている場合には、指定時刻ｎにおける指定時刻アラートが既になされていることを意味する。
【０１５２】
値付け器２は、時刻１フラグ（ｆ１）に「１」が代入されていると判断した場合には、指定時刻１における指定時刻アラートは既に報知されているので、処理を終了する。
一方、値付け器２は、時刻１フラグ（ｆ１）に「１」が代入されていないと判断した場合には、当該指定時刻１（ｔ１）における生産数量（Ａ１）のデータを取得するとともに、ＰＯＳ端末１１から販売数量（Ｂ１）のデータを取得して記憶手段に記憶する(S206)。
【０１５３】
次に、値付け器２は、指定時刻１（ｔ１）における陳列数（Ｃ１＝Ａ１−Ｂ１）及び過不足数（Ｆ１＝Ｃ１−Ｅ１）を算出して記憶手段に記憶する(S207)。
そして、値付け器２は、記憶手段から過不足数（Ｆ１）、予定数（Ｅ１）、予定数（Ｅ２）、予定数（Ｅ３）を読みだして、生産販売リスト画面（陳列数アラート画面）５４０を作成して表示し (S208)、時刻１フラグ（ｆ１）に「１」を代入して（S209）、処理を終了する。
【０１５４】
戻って、値付け器２は、ステップS202において、時刻（Ｔ）が指定時刻２（ｔ２）を超えたと判断した場合には、指定時刻２陳列予定数（Ｅ２）が設定されているか否かを判断する（S214）。
【０１５５】
値付け器２は、ステップS214で、指定時刻２陳列予定数（Ｅ２）が設定されていないと判断した場合には処理を終了し、指定時刻２陳列予定数（Ｅ２）が設定されていると判断した場合には、時刻２フラグ（ｆ２）に「１」が代入されているか否かを判断する（S215）。
【０１５６】
値付け器２は、時刻２フラグ（ｆ２）に「１」が代入されていると判断した場合には、指定時刻２における指定時刻アラートは既に報知されているので、処理を終了する。
一方、値付け器２は、時刻１フラグ（ｆ２）に「１」が代入されていないと判断した場合には、当該指定時刻２（ｔ２）における生産数量（Ａ２）のデータを取得するとともに、ＰＯＳ端末１１から販売数量（Ｂ２）のデータを取得して記憶手段に記憶する(S216)。
【０１５７】
次に、値付け器２は、指定時刻２（ｔ２）における陳列数（Ｃ２＝Ａ２−Ｂ２）及び過不足数（Ｆ２＝Ｃ２−Ｅ２）を算出して記憶手段に記憶する(S217)。
そして、値付け器２は、記憶手段から過不足数（Ｆ１）、予定数（Ｅ１）、過不足数（Ｆ２）、予定数（Ｅ２）及び予定数（Ｅ３）を読みだして、生産販売リスト画面（陳列数アラート画面）５４０を作成して表示し (S218)、時刻２フラグ（ｆ２）に「１」を代入して（S219）、処理を終了する。
【０１５８】
戻って、値付け器２は、ステップS201において、時刻（Ｔ）が指定時刻３（ｔ３）を超えたと判断した場合には、指定時刻３陳列予定数（Ｅ３）が設定されているか否かを判断する（S224）。
【０１５９】
値付け器２は、ステップS224で、指定時刻３陳列予定数（Ｅ３）が設定されていないと判断した場合には、処理を終了し、指定時刻３陳列予定数（Ｅ３）が設定されていると判断した場合には、時刻３フラグ（ｆ３）に「１」が代入されているか否かを判断する（S225）。
【０１６０】
値付け器２は、時刻３フラグ（ｆ３）に「１」が代入されていると判断した場合には、指定時刻３における指定時刻アラートは既に報知されているので、処理を終了する。
一方、値付け器２は、時刻１フラグ（ｆ３）に「１」が代入されていないと判断した場合には、当該指定時刻３（ｔ３）における生産数量（Ａ３）のデータを取得するとともに、ＰＯＳ端末１１から販売数量（Ｂ３）のデータを取得して記憶手段に記憶する(S226)。
【０１６１】
次に、値付け器２は、指定時刻３（ｔ３）における陳列数（Ｃ３＝Ａ３−Ｂ３）及び過不足数（Ｆ３＝Ｃ３−Ｅ３）を算出して記憶手段に記憶する(s227)。
そして、値付け器２は、記憶手段から過不足数（Ｆ１）、予定数（Ｅ１）、過不足数（Ｆ２）、予定数（Ｅ２）、過不足数（Ｆ３）及び予定数（Ｅ３）を読みだして、生産販売リスト画面（陳列数アラート画面）５４０を作成して表示し (s228)、時刻３フラグ（ｆ３）に「１」を代入して（S229）、処理を終了する。
【０１６２】
以上のように、本実施形態の値付け器２は、指定時刻アラート機能が設定されている商品について、指定時刻１ないし指定時刻３を超えた時点で、指定時刻陳列予定数（Ｅ）と、指定時刻における商品の過不足数（Ｆ）（＝実際の陳列数（Ｃ）−陳列予定数（Ｅ））を含む生産販売リスト画面（陳列数アラート画面）５４０を自動表示する。
【０１６３】
図２３に、指定時刻（１７時）の陳列数アラート画面５４０の表示例を示す。本表示例は、指定時刻３（１７時）時点での指定時刻アラートの報知状態を示しており、指定時刻３（１７時）においては、黒毛和牛ロースうすぎり（商品番号：000101）について、指定時刻３陳列予定数（Ｅ３）が「２０」であり、過不足が「−５」であることが表示されている。
【０１６４】
また、本表示例は、黒毛和牛肩ロースうすぎり（商品番号：000102）」について、指定時刻３陳列予定数（Ｅ３）が「１０」であり、過不足が「+８」であることが表示されている。
本表示例を見た店員等は、店舗の陳列棚に、「黒毛和牛ロースうすぎり」については、陳列予定数よりも５個少ない数量の商品が陳列がされており、「黒毛和牛肩ロースうすぎり」については、陳列予定数よりも８個多い数量の陳列がされていることを知ることができる。
店員等は、これらの表示により、指定時刻（１７時）以降の商品の生産や品出し処理を見直すことができる。
【０１６５】
これらの、指定時刻アラート機能による陳列数アラート画面５４０の自動表示は、店員等が商品の値付け作業等をしている場合には表示することなく、所定時間（例えば１０秒）画面操作がされない場合に表示することにより、店員等の作業中の操作を優先させて、作業が終了した時点でアラート表示を行うことが好ましい。  
なお、上記指定時刻アラートのアラート表示の指定時刻等は、後述するアラート設定画面によって適宜設定できる。
【０１６６】
商品補充アラートや指定時刻アラートによる報知に際して、例えば報知時刻が賞味期限や消費期限に近い商品が多く陳列されている場合などには、商品に値引きシールを貼付することを促すポップアップ表示を行ったり、「売り場の賞味期限を確認してください。」等のメッセージの表示を行ったりしてもよい。
【０１６７】
（生産数予測）
生産数予測機能は、例えば過去の販売実績と当日の販売実績に基づいて当日の一日の販売数の予測を行い、その値をもとに、当該時刻以降の追加で生産するべき数量を報知する機能である。
【０１６８】
生産数予測の方法については、特に限定されるものではないが、例えば、過去数週間における各曜日の各営業時間ごとの販売実績をもとにして生産数を予測するなど、短期的な予測によって生産数を予測してもよい。
また、過去数年にわたる季節ごとの商品の販売数の変化、また、営業日当日の天候や気温による販売数の変化を解析し、該解析した結果をもとにして生産数を予測してもよい。
また、クリスマスや節分などのイベントによる商品毎の販売数の増減を解析し、該解析した結果をもとにして特別な商品についての生産数を予測することもできる。
【０１６９】
店員等が、図１５に示す「生産予測設定」欄７３０に「あり」と設定することで、値付け器２は、当日販売される個数を予測するとともに、当日追加で生産するべき個数を算出して、図３に示すように、生産販売リスト画面５００の「追加生産数（１５時予測）」欄に表示する。
【０１７０】
本実施形態の値付け器２は、生産数予測のアラート機能によって、営業日当日の販売状況に応じて追加生産数を予測して表示するので、店員等は、当日の売り上げ状況に応じた商品の生産、品出しを行うことができる。
【０１７１】
以上のように、本実施形態の値付け器２は、商品の生産販売情報が所定の条件を満たした時に報知する商品補充アラート（第１のアラート機能）、指定の時間毎に商品の生産販売情報を報知する指定時刻アラート（第２のアラート機能）及び営業日当日の販売状況から必要生産数を予測して報知する生産数予測（第３のアラート機能）といった複数のアラート機能を備えているので、店員等は、商品毎に商品に適したアラート機能を設定することができ、バックヤードでの作業の効率化を図ることができる。
【０１７２】
上記アラート機能の基本情報を設定するためのアラート設定画面９００の一例を図２４に示す。
アラート設定画面９００は、「生産数予測」欄９０１、「商品補充アラート表示」欄９０２、「指定時刻１」欄９０３、「指定時刻１の生産数予測」欄９０４、「指定時刻２」欄９０５、「指定時刻２の生産数予測」欄９０６、「指定時刻３」欄９０７、「指定時刻３の生産数予測」欄９０８、及び、「確認」ボタン９００ａ等を備えている。
【０１７３】
店員等が、アラート設定画面９００の各欄に数値等を入力することにより、値付け器２は、商品毎や商品の属性（部門）毎にアラート機能を設定する。
【０１７４】
店員等が、「生産数予測」欄９０１に「あり」の入力を行うことで、値付け器２は、追加生産数（１５時予測）（Ｇ）を算出して、生産販売リスト画面５００に表示する。
【０１７５】
店員等が、「商品補充アラート表示」欄９０２に「あり（残り少ない商品のみ）」を選択することで、値付け器２は、商品補充アラート機能において、陳列数の少ない商品に対してのみポップアップ表示による報知を行う。
また、店員等が、「商品補充アラート表示」欄９０２に「あり（全ての商品）」を選択することで、値付け器２は、商品補充アラート機能において、陳列数が十分に存在する商品を含めて全ての商品についてポップアップ表示による報知を行う。
【０１７６】
店員等が、「指定時刻１」欄９０３、「指定時刻２」欄９０５「指定時刻３」欄９０７及び「指定時刻１の生産数予測」欄９０４、「指定時刻３の生産数予測」欄９０６、「指定時刻３の生産数予測」欄９０８へ情報を入力することによって、値付け器２は、指定時刻アラート機能による報知の有無の設定を行う。
【０１７７】
具体的には、「指定時刻１」欄９０３、「指定時刻２」欄９０５「指定時刻３」欄９０７によって、指定時刻アラートにおけるアラートの時刻が設定され、「指定時刻１の生産数予測」欄９０４、「指定時刻３の生産数予測」欄９０６、「指定時刻３の生産数予測」欄９０８によって、各指定時刻にアラート表示を行うか否かが設定される。
【０１７８】
図２４に示す例では、指定時刻１（１０：００）には、指定時刻アラート表示を行わず、指定時刻２（１５：００）及び指定時刻３（１７：００）に指定時刻アラートを行うことが設定されている。
【０１７９】
図２５（ａ）に、本実施形態の生産販売情報報知装置２の機能ブロック図の一例を示す。
生産販売情報報知装置２は、制御手段２０１、生産数取得手段２０２、販売数取得手段２０３、陳列実数取得手段２０４及び記憶手段２１１等を有している。
さらに、生産販売情報報知装置２は、入力部２２１と、表示部２２２と、印刷部２２３等を有している。
【０１８０】
前記制御手段２０１は、生産販売情報報知装置２を総括して制御する手段であり、店員等が入力部２２１により入力した情報を記憶したり、記憶している情報に基づいて表示部２２２に情報を表示したり、印刷部２２３により発行したりする。
【０１８１】
例えば、前記制御手段２０１は、生産情報、販売情報、陳列情報等に基づいて、販売達成情報等の種々の情報を作成し、報知したりする（報知手段）。
また、制御手段２０１は、店員等が入力した情報をもとに、複数の商品からいくつかの商品もしくは一つの商品を選択したり、特定したりする（選択手段、特定手段）。
【０１８２】
また、前記制御手段２０１は、店員等が入力した情報に基づいて、商品の生産指示の情報を受け付け（受付手段）、受け付けた生産指示の情報を出力したりする（出力手段）。
【０１８３】
前記生産数取得手段２０２は、店員等が入力した指示に基づいて生産（値付け）をした各商品の生産個数を累計して各商品の生産数量の情報として取得する。
なお、前記生産数取得手段２０２は、当該生産販売情報報知装置２の生産数量の情報だけではなく、他の値付け器等において生産された各商品の生産個数の合計を生産数量として取得したり、店員等により直接入力された生産個数を商品の生産数量の情報として取得したりしてもよい。
【０１８４】
前記販売数取得手段２０３は、例えば店員等が指定した指定時刻や指定した時間間隔ごとに、各商品についての販売数量の情報を、ＰＯＳ端末１１等から取得する。
【０１８５】
前記陳列実数取得手段２０４は、例えば店員等が携帯端末３を携帯して店舗を見回り、陳列棚に陳列された商品を数えて実陳列数等の状況を入力した際に、携帯端末３から商品の実陳列数等の情報を取得する。
【０１８６】
そして、前記制御手段２０１は、生産数取得手段２０２が取得した生産数量や販売数取得手段２０３が取得した販売数量に関する情報、各記憶手段に記憶された情報に基づいて追加生産数等の情報を算出したりする。
【０１８７】
前記記憶手段２１１は、生産数取得手段２０２が取得した各商品の生産数量（Ａ）や、販売数取得手段２０３が取得した各商品の販売数量（Ｂ）、制御手段２０１が作成した各種情報等を記憶する。
【０１８８】
図２５（ｂ）に、本実施形態の生産販売情報報知装置２のブロック図を示す。
生産販売情報報知装置２は、ＣＰＵ２１と、ＲＯＭ２２と、ＲＡＭ２３と、メモリ２４と、ネットワークＩ／Ｆ２５と、入力部Ｉ／Ｆ２６と、表示部Ｉ／Ｆ２７と、印刷部Ｉ／Ｆ２８を備えている。
【０１８９】
ＣＰＵ２１は、ソフトウエアプログラムの命令を実行する。ＲＯＭ２２は、ＣＰＵ２１上で動作するためのプログラム等を予め記憶している。なお、プログラム等は、ＣＤ−ＲＯＭなどの可搬型記憶媒体に記憶させ、ＣＤ−ＲＯＭドライブなどの外部装置により読み取るように構成してもよい。
【０１９０】
ＲＡＭ２３は、プログラムの記憶及びソフトウエアが動作するために必要なワーク記憶エリアとして使用される。
メモリ２４は、ハードディスク装置等から構成され商品に関する情報を記憶している。
ネットワークＩ／Ｆ２５は、ネットワーク上に接続された手段とデータのやり取りを行うための回路である。
入力部Ｉ／Ｆ２６は、バーコードスキャナ等の入力部２２１との入出力を行うための回路である。
表示部Ｉ／Ｆ２７は、タッチパネル等の表示部２２２との入出力を行うための回路である。
印刷部Ｉ／Ｆ２８は、プリンタ等の印刷部２２３との入出力を行うための回路である。
【０１９１】
以上のように、本実施形態の生産販売情報報知装置は、数多くの商品の中から所望の商品についての生産販売情報を表示することができるので、店員等は、効率的に商品の情報を把握することができる。
また、本実施形態の生産販売情報報知装置は、複数のアラート機能を備え、商品ごとに適当なアラート機能を設定することができるので、商品の性格に応じた適切な報知を設定することができる。
【０１９２】
以上、この発明の実施形態を図面を参照して説明したが、具体的な構成はこの実施形態に限られるものではない。
【符号の説明】
【０１９３】
２            ：生産販売情報報知装置（値付け器）
３            ：携帯端末
１１          ：ＰＯＳ端末
５００        ：生産販売リスト画面
５４０        ：陳列数アラート画面
５５０        ：生産販売実績モニター画面
５６０        ：推移表画面
５７０        ：生販表画面
５８０        ：売上順位表示画面
５９０        ：売り切れレポート画面
【図１】
2020197762.tif 000003
【図２】
2020197762.tif 000004
【図３】
2020197762.tif 000005
【図４】
2020197762.tif 000006
【図５】
2020197762.tif 000007
【図６】
2020197762.tif 000008
【図７】
2020197762.tif 000009
【図８】
2020197762.tif 000010
【図９】
2020197762.tif 000011
【図１０】
2020197762.tif 000012
【図１１】
2020197762.tif 000013
【図１２】
2020197762.tif 000014
【図１３】
2020197762.tif 000015
【図１４】
2020197762.tif 000016
【図１５】
2020197762.tif 000017
【図１６】
2020197762.tif 000018
【図１７】
2020197762.tif 000019
【図１８】
2020197762.tif 000020
【図１９】
2020197762.tif 000021
【図２０】
2020197762.tif 000022
【図２１】
2020197762.tif 000023
【図２２】
2020197762.tif 000024
【図２３】
2020197762.tif 000025
【図２４】
2020197762.tif 000026
【図２５】
2020197762.tif 000027